(57)【要約】【課題】チケットプリンタによって発券される複数のチケットの一覧、お客さんが選択したチケットの各々の内容及び価格、お客さんが選択したチケットの合計金額が表示されるチケット発券ＰＯＳターミナルの提供。【解決手段】チケットプリンタを備えたチケット発券ＰＯＳターミナルであって、入力用タッチパネルを搭載した客用表示部３０を有し、この客用表示部３０には、チケットプリンタによって発券される複数のチケットの一覧が表示され、お客さんが前記一覧３１のうち購入したいチケットが表示された部分を選択的にタッチすることにより、お客さんが選択したチケットをチケットプリンタで印字し発券するものであり、客用表示部３０には、お客さんが選択したチケットの各々の内容（○○水族館２枚や○○動物園１枚）及び価格（￥１０，０００や￥１０００）やお客さんが選択したチケットの合計枚数及び合計金額が表示される。【選択図】　　　　図２
2004078810.tif 000002
【特許請求の範囲】
【請求項１】
複数種のチケットを発券するチケットプリンタを備えたチケット発券ＰＯＳターミナルであって、入力用タッチパネルを搭載した客用表示部を有し、この客用表示部には、前記チケットプリンタによって発券される前記複数のチケットの一覧が表示され、お客さんが前記一覧のうち購入したいチケットが表示された部分を選択的にタッチすることにより、お客さんが選択したチケットを前記チケットプリンタで印字し発券するチケット発券ＰＯＳターミナルであり、前記客用表示部には、お客さんが選択したチケットの各々の内容及び価格が表示されると共に、お客さんが選択したチケットの合計金額が表示されることを特徴とするチケット発券ＰＯＳターミナル。
【請求項２】
請求項１に記載のチケット発券ＰＯＳターミナルにおいて、前記客用表示部には、更に、お客さんに対するガイダンスメッセージが表示されることを特徴とするチケット発券ＰＯＳターミナル。
【請求項３】
複数種のチケットを発券するチケットプリンタを備えたチケット発券ＰＯＳターミナルであって、入力用タッチパネルを搭載した客用表示部を有し、この客用表示部には、前記チケットプリンタによって発券される前記複数のチケットの一覧と、購入確定キーとが表示され、お客さんが前記一覧のうち購入したいチケットが表示された部分を選択的にタッチし、続いて前記購入確定キーをタッチすることにより、お客さんが選択したチケットを前記チケットプリンタで印字し発券するチケット発券ＰＯＳターミナルであり、前記客用表示部には、お客さんが選択したチケットの各々の内容及び価格が表示されると共に、お客さんが選択したチケットの合計金額が表示されることを特徴とするチケット発券ＰＯＳターミナル。
【請求項４】
請求項３に記載のチケット発券ＰＯＳターミナルにおいて、前記客用表示部には、更に、購入取消キーが表示され、前記購入確定キーがタッチされる前に、前記購入取消キーがタッチされると、お客さんが選択したチケットの購入を取消すことを特徴とするチケット発券ＰＯＳターミナル。
【請求項５】
請求項３に記載のチケット発券ＰＯＳターミナルにおいて、前記客用表示部には、更に、お客さんに対するガイダンスメッセージが表示されることを特徴とするチケット発券ＰＯＳターミナル。
【請求項６】
請求項５に記載のチケット発券ＰＯＳターミナルにおいて、前記客用表示部には、「チケットを選択して下さい」とのメッセージが前記ガイダンスメッセージとして表示されることを特徴とするチケット発券ＰＯＳターミナル。
【発明の詳細な説明】
【０００１】
【発明の属する技術分野】
本発明は、ＰＯＳターミナルに関する。
【０００２】
【従来の技術】
従来、コンビニエンスストア等の店舗でのチケット販売は、ＰＯＳ（ｐｏｉｎｔ　ｏｆ　ｓａｌｅｓ）ターミナルと販売可能な多種にわたるチケット一覧が分離していたため、以下の問題点があった。
【０００３】
【発明が解決しようとする課題】
すなわち、第１の問題点は、販売可能なチケットの一覧表を作成する必要があり、かつ店舗に配布する必要が必要であった。また、販売可能なチケットが変更する都度、同様なことを繰り返す必要があった。
【０００４】
第２の問題点は、お客さんがチケットを購入する際、チケットが多種にわたるため、オペレータがチケット一覧表などでお客さんが希望するチケットを確認する必要があった。
【０００５】
本発明は、上述の問題点を解決することを目的とする。
【０００６】
すなわち、本発明の目的は、チケットプリンタによって発券される複数のチケットの一覧、お客さんが選択したチケットの各々の内容及び価格、お客さんが選択したチケットの合計金額が表示されるチケット発券ＰＯＳターミナルを提供することにある。
【０００７】
【課題を解決するための手段】
本発明によれば、複数種のチケットを発券するチケットプリンタを備えたチケット発券ＰＯＳターミナルであって、入力用タッチパネルを搭載した客用表示部を有し、この客用表示部には、前記チケットプリンタによって発券される前記複数のチケットの一覧が表示され、お客さんが前記一覧のうち購入したいチケットが表示された部分を選択的にタッチすることにより、お客さんが選択したチケットを前記チケットプリンタで印字し発券するチケット発券ＰＯＳターミナルであり、前記客用表示部には、お客さんが選択したチケットの各々の内容及び価格が表示されると共に、お客さんが選択したチケットの合計金額が表示されることを特徴とするチケット発券ＰＯＳターミナルが得られる。
【０００８】
更に本発明によれば、複数種のチケットを発券するチケットプリンタを備えたチケット発券ＰＯＳターミナルであって、入力用タッチパネルを搭載した客用表示部を有し、この客用表示部には、前記チケットプリンタによって発券される前記複数のチケットの一覧と、購入確定キーとが表示され、お客さんが前記一覧のうち購入したいチケットが表示された部分を選択的にタッチし、続いて前記購入確定キーをタッチすることにより、お客さんが選択したチケットを前記チケットプリンタで印字し発券するチケット発券ＰＯＳターミナルであり、前記客用表示部には、お客さんが選択したチケットの各々の内容及び価格が表示されると共に、お客さんが選択したチケットの合計金額が表示されることを特徴とするチケット発券ＰＯＳターミナルが得られる。
【０００９】
特開平９−２７０７９号公報は、客用表示部に、チケットプリンタによって発券される複数のチケットの一覧が表示されること、及び、客用表示部に、お客さんが選択したチケットの各々の内容及び価格が表示されると共に、お客さんが選択したチケットの合計金額が表示されることを、開示していない。
【００１０】
【発明の実施の形態】
次に本発明の実施例について図面を参照して説明する。
【００１１】
図１を参照すると、本発明の一実施例によるチケット発券ＰＯＳターミナルは、複数種のチケットを発券するチケットプリンタ２０を備えたＰＯＳターミナル１０であって、入力用タッチパネルを搭載したタッチパネル搭載型客用表示部３０を有している。
【００１２】
図２を参照すると、タッチパネル搭載型客用表示部３０には、図１のチケットプリンタ２０によって発券される複数のチケットの一覧３１と、購入確定キー３２とが表示されている。
【００１３】
図１及び図２を参照して、このチケット発券ＰＯＳターミナルは、お客さんが前記一覧３１のうち購入したいチケットが表示された部分を選択的にタッチし、続いて購入確定キー３２をタッチすることにより、お客さんが選択したチケットをチケットプリンタ２０で印字し発券するものである。タッチパネル搭載型客用表示部３０には、お客さんが選択したチケットの各々の内容（図２の例では、○○水族館２枚や○○動物園１枚）及び価格（図２の例では、￥１０，０００や￥１０００）が表示されると共に、お客さんが選択したチケットの合計枚数（図２の例では、３枚）及び合計金額（図２の例では￥１１，０００）が図２の３５の部分に表示される。
【００１４】
タッチパネル搭載型客用表示部３０には、更に、購入取消キー３３が表示され、購入確定キー３２がタッチされる前に、購入取消キー３３がタッチされると、お客さんが選択したチケットの購入を取消す。
【００１５】
タッチパネル搭載型客用表示部３０には、更に、「チケットを選択して下さい」とのメッセージが、お客さんに対するガイダンスメッセージ３４として表示される。
【００１６】
このように、本発明は、コンサートチケットや遊園地チケット等を発券するチケットプリンタ２０を搭載するＰＯＳターミナル１０における客用表示部にタッチパネルを搭載し、このタッチパネル搭載型客用表示部３０にチケット種別を表示させ、お客さんに選択入力させることにより、効率的にオペレーションが行える。
【００１７】
次に本実施例の動作を説明する。
【００１８】
図１において、本チケット発券ＰＯＳターミナルの客用表示部３０にチケットの選択を促すメッセ−ジ（図２の３４）が流れ、お客さんは、タッチパネル搭載型客用表示部３０に表示されている多種類のチケット（図２の３１）から購入したいチケットを選択し、画面をタッチし入力する。
【００１９】
購入したいチケットを入力していくと、購入枚数と金額が、タッチパネル搭載型客用表示部３０の３５の部分に表示され、お客さんは購入した内容が確認可能になる。
【００２０】
また、お客さんが選択したチケットを訂正する場合は、タッチパネル搭載型客用表示部３０に表示されている購入取消キー（図２の３３）を押下し、選択したチケットを無効にすることで、取り消しを行う。
【００２１】
お客さんがチケットの入力が終了すると、タッチパネル搭載型客用表示部３０の購入確定キー（図２の３２）を押下し、チケットプリンタ２０から購入したチケットが印字され出力される。
【００２２】
本チケット発券ＰＯＳターミナルでは、これらの一連の操作をすることによってお客さんがチケットを選択し、チケットの購入をすることができる。
【００２３】
本システムの応用例としては、内蔵型チケットプリンタを外付けチケットプリンタに置き換えることによっても同様な決済が出来るチケット発券ＰＯＳターミナルになる。
【００２４】
【発明の効果】
上述したように、本発明によれば、チケットプリンタによって発券される複数のチケットの一覧、お客さんが選択したチケットの各々の内容及び価格、お客さんが選択したチケットの合計金額がタッチパネル搭載型客用表示部に表示されるチケット発券ＰＯＳターミナルが得られる。
【００２５】
本発明によれば、購入可能なチケット一覧表などを作成する必要がなく、かつ店舗へ配布する必要もなくなる。
【００２６】
また、本発明によれば、お客さんがチケットを購入する際、オペレータがチケット一覧表などでお客さんが希望するチケットを確認する必要がない。
【図面の簡単な説明】
【図１】本発明の一実施例によるチケット発券ＰＯＳターミナルの斜視図である。
【図２】図１に示したチケット発券ＰＯＳターミナルのタッチパネル搭載型客用表示部を説明するための図である。
【符号の説明】
１０　ＰＯＳターミナル
２０　チケットプリンタ
３０　タッチパネル搭載型客用表示部
【図１】
2004078810.tif 000003
【図２】
2004078810.tif 000004